(57)【要約】  印刷システムが、複数の体積を有する液滴を、第1進路及び壁を含む通路に沿って噴出するように機能することが可能なエジェクタを含む。気体流源は、気体が通路の中の方向に流れるようにする。液体流源は、通路の壁に沿った方向に流れるように機能し、液体の流れ方向は、気体流の方向と同じである。気体流と液滴との相互作用は、複数の体積の１つを有する液滴が、第２進路に沿って移動を開始するようにする。
2010526687.tif 000002
【特許請求の範囲】
【請求項１】
第1進路に沿って複数の体積を有する液滴を噴出するように機能することが可能な液滴エジェクタ；
壁を有する通路；
該通路を通り抜ける方向に気体が流れるように機能することが可能な気体流源；及び
前記通路の壁に沿った方向に液体が流れるように機能することが可能な液体流源を含み、前記液体の流れ方向が、前記の気体流の方向と同じであり、前記気体流と前記液滴との相互作用が、1つ又は複数の体積を有する液滴が第２進路に沿って移動を始めるようにすることを特徴とする印刷システム。
【請求項２】
気体流の方向及び液体流の方向が、前記第1進路に関して直角でない、請求項１に記載された印刷システム。
【請求項３】
前記液体流が速度を有し、前記気体流が速度を有し、前記液体流の速度が前記気体流の速度に実質的に等しい、請求項1に記載された印刷システム。
【請求項４】
前記通路の壁が前記液体流の方向と同じ方向に移動することが可能な部分を有する、請求項１に記載された印刷システム。
【請求項５】
前記液体がインクである、請求項1に記載された印刷システム。
【請求項６】
前記通路の壁が、前記液体を集めるように成形されたキャッチャーで終わる、請求項1に記載された印刷システム。
【請求項７】
前記キャッチャーによって集められた液体を、前記液体流源に戻し、再循環させるように機能することが可能な再循環システムをさらに含む、請求項６に記載された印刷システム。
【請求項８】
前記第1進路及び前記第２進路のうち１つにおいて位置されたキャッチャー機構であり、壁及び入口を有するキャッチャー機構；及び
第２液体流源が、該キャッチャー機構の壁に沿って、該キャッチャー機構の入口に実質的に向かう方向に流れるように機能することが可能な第２液体流源；
をさらに含む、請求項1に記載された印刷システム。
【請求項９】
前記第２液体がインクである、請求項８に記載された印刷システム。
【請求項１０】
第1進路に沿って進行する複数の体積を有する液滴を提供する段階；
壁を有する通路を提供する段階；
前記通路を通り抜ける方向に気体が流れるようにする段階；
前記通路を通り抜ける方向に液体が流れるようにし、前記液体の流れ方向は、前記気体の流れ方向と同じである、段階；及び
前記複数の体積のうちの１つを有する液滴が、前記気体流と前記液滴との相互作用を通して第２進路に沿って移動を始める段階；
を含む印刷の方法。
【請求項１１】
前記液体を再循環させる段階をさらに含む、請求項１０に記載された印刷の方法。
【請求項１２】
前記液体の再循環が、該液体のフィルタリングを含む、請求項１１に記載された印刷の方法。
【請求項１３】
前記気体流が速度を有し、前記通路の壁に沿った方向に前記液体が流れるようにする段階が、前記液体が前記気体流の速度に実質的に等しい速度で流れるようにする段階を含む、請求項１０に記載された印刷の方法。
【請求項１４】
キャッチャーを提供する段階；及び
前記キャッチャーを使用して前記液体を集める段階；
をさらに含む、請求項１０に記載された印刷の方法。
【請求項１５】
前記第１進路及び前記第２進路のうちの１つに位置づけられたキャッチャー機構を提供し、該キャッチャー機構が壁及び入口を有する、段階；及び
第２液体が、前記キャッチャー機構の入口に実質的に向かう方向に、該キャッチャー機構の壁に沿って流れるように機能することが可能な第２液体流源を提供する段階；
をさらに含む、請求項１０に記載された印刷の方法。
【請求項１６】
プリントヘッドを提供する段階；
壁を有する通路を提供する段階であり、該通路が、前記プリントヘッドに付随している、段階；
気体が、前記通路を通り抜ける方向に流れるようにする段階；及び
液体が、前記通路の壁に沿った方向に流れるようにすることによって該通路の壁を洗浄する段階であり、前記液体の流れ方向が、前記気体の流れ方向と同じである、段階；
を含む印刷システムを洗浄する方法。
【請求項１７】
前記液体を再循環させる段階をさらに含む、請求項１６に記載された方法。
【請求項１８】
前記液体を再循環させる段階が、該液体をフィルタリングする段階を含む、請求項１７に記載された方法。
【請求項１９】
前記第1進路及び前記第２進路のうちの１つに位置づけられたキャッチャー機構を提供する段階であり、該キャッチャー機構が壁及び入口を有する、段階；
第２液体流源を提供する段階；及び
前記第２液体流源からの第２液体が、前記キャッチャー機構の壁に沿って、実質的に前記キャッチャー機構の入口に向かう方向に流れるようにすることによって、前記キャッチャー機構の壁を洗浄する段階；
をさらに含む請求項１６に記載された方法。
【請求項２０】
前記通路の壁が移動可能であり：
前記通路の壁が、前記液体流の方向と同じ方向に移動するようにする段階；
をさらに含む、請求項１０に記載された印刷の方法。
【請求項２１】
前記気体流の方向と同じ方向に移動が可能な前記壁の部分を提供する段階；及び
前記壁の可動部分が、前記気体流の方向と同じ方向に移動することが可能であるようにする段階；
をさらに含む、請求項１０に記載された印刷の方法。
【請求項２２】
前記気体流が速度を有し、前記壁の移動が可能な部分が、該可動部分が動いている時に速度を有することを特徴とする方法であり、前記通路の壁に沿った方向に、前記液体が流れるようにする段階が、前記の動いている壁の速度と組み合わせられたときに、前記液体が、前記気体流の速度と実質的に等しい速度で流れるようにする段階を含む、請求項２１に記載された印刷の方法。
【発明の詳細な説明】
【技術分野】
【０００１】
本発明は、一般的に気体流の管理に関し、具体的には、印刷システムにおける気体流の管理に関する。
【背景技術】
【０００２】
気体流を取り込む印刷システムは、例えば1978年1月10日にYamadaに発行された米国特許第4,068,241号（特許文献１）において知られている。
【０００３】
気体流−滴の相互作用領域に気体流を提供する装置は、その気体流に乱気流を導入し、その乱気流は増大し、最終的には滴の正確な偏向又は発散を妨げることがある。その気体の供給から導入された乱流は、印刷システムの気体流−滴の相互作用領域に気体流を運搬するために使用される構造又はプレナム（plenum）の中をその気体流が移動するにつれて、通常、増加又は増大する。
【０００４】
滴の偏向又は発散は、ランダム（random）に変動している流体の動きである乱流が、例えば、進路に沿って移動している滴と気体の流れ力との相互作用領域において存在するとき、影響を受ける。乱流の滴に対する効果は、その滴のサイズによって変化する。例えば、比較的小さい体積の滴が、気体の流れ力によって、その進路より偏向又は発散させられる場合、乱流は、体積の小さい滴の方向をランダムに変えることがあり、それらの滴の偏向又は発散の精度の減少をもたらし、同様に、それらの滴の位置の精度の減少に至ることがある。
【先行技術文献】
【特許文献】
【０００５】
【特許文献１】米国特許第4,068,241号明細書
【特許文献２】米国特許第6,457,804B1号明細書
【特許文献３】米国特許第6,491,362B1号明細書
【特許文献４】米国特許第6,505,921B2号明細書
【特許文献５】米国特許第6,554,410B2号明細書
【特許文献６】米国特許第6,575,566B1号明細書
【特許文献７】米国特許第6,588,888B2号明細書
【発明の概要】
【発明が解決しようとする課題】
【０００６】
従って、印刷システムの気体流−滴の相互作用領域における乱気流を、減少させる必要がある。
【課題を解決するための手段】
【０００７】
本発明の１態様に従って、気体流装置が、気体用の壁を含む通路を含む。気体流源は、その通路の中を通る方向において、気体が流れるように機能する。液体流源は、その通路の壁に沿った方向に液体が流れるように機能し、その液体流の方向は、気体流の方向と同じである。
【０００８】
本発明のもう1つの態様に従って、印刷システムが、第1進路及び壁を含んだ気体用の通路に沿った複数の体積を有する液滴を噴出するように機能する液滴エジェクタを含む。気体流源は、その通路を通る方向に気体が流れるように機能する。液体流源は、その通路の壁に沿った方向に液体が流れるように機能し、その液体流の方向は、気体流の方向と同じである。気体流と液滴との相互作用は、複数の体積のうちの１つを有する液滴が第２進路に沿って移動を開始するようにする。
【０００９】
本発明のもう1つの態様に従って、気体を移動させる方法が、壁を含む通路を提供する段階；気体流源からその通路の方向に移動する気体流を提供する段階；及び気体流の方向と同じ方向において移動進路に沿って壁を移動させる段階；を含む。液体流源は、その通路の移動壁に沿った方向において液体が流れるように機能することが可能であり、液体流の方向は、気体流の方向と同じである。
【図面の簡単な説明】
【００１０】
【図１】本発明の１実施例の概略的な投射図である。
【図２】本発明のもう１つの実施例の概略的な投射図である。
【図３】本発明の印刷システムの１実施例の概略的な３次元図である。
【図４Ａ】本発明の印刷システムの１実施例の概略的な２次元図である。
【図４Ｂ】本発明の印刷システムの１実施例の偏向領域のクローズアップの概略図である。
【図５】本発明のもう１つの実施例の概略的な2次元投射図である。
【発明を実施するための形態】
【００１１】
本記載は、具体的には、本発明に従った装置の一部分を形成する、又はより直接的に構成する要素に向けられている。具体的に示されていない、又は記載されていない要素は、当業者にとって既知である様々な形状を取ってもよいことは理解するべきである。本発明の実施例は、概略的に説明され、明確さのために寸法通りには示されていない。当業者は、本発明の実施例の要素の特定の寸法及び相互接続を容易に決定することができる。以下の記載において、同一の参照符号が、可能な箇所で同一の要素を指定するために使用されている。
【００１２】
印刷システムという用語が以下で使用されているが、現代において存在する印刷システムは、インクだけでなく、他の種類の液体も噴出するように使用されている。例えば、薬、インク、色素、染料、及び他の材料の噴出が、現代の印刷システムの使用において可能である。そのように、印刷システムという用語は、インクを噴出するだけのシステムとして限定されないようになっている。
【００１３】
例えば、連続印刷システムとして一般的に呼ばれているような印刷システムにおいて存在する場合、乱流、特に滴偏向システムにおける壁乱流は、主に境界摩擦（例えば、空気などの気体流における、偏向システムの壁によって及ぼされる抗力）によって誘導される。効力、従って乱流は、そのシステムの境界を活発に制御することによって低減又は消去さえもできる。境界領域は、例えば、気体流がそのシステムの壁などの固体の部分に隣接する複数のシステム領域などを含む。
【００１４】
効力の減少は、気体流の全体を通して、一般的にレイノルズ（Reynold’s）せん断応力と呼ばれるせん断応力のマグニチュードの減少と同時に起こる。これはまた、乱流を減少又は消滅させることさえも援助する。例えば、境界領域に沿って移動している液体が、気体流の速度と実質的に同じ速度で同じ方向に移動しているとき、効力は減少し、層流の気体流などは、滴偏向システムにおいて維持されることができる。その移動している液体の表面は、境界摩擦によって導かれる流体速度の勾配を減少させ、消滅さえさせる。その気体流の通路の壁上を移動している液体は、また、粒子又はドライインクなどの汚染からその壁を守ることができる。さらに、気体流の通路の壁に沿って、又は、その上を移動する液体は、壁が動作する間に熱が発生する場合、その壁の温度が上昇することを防ぐことができる。例えば、移動壁に伴う摩擦が、熱を発生させる。この状況においては、移動液体の追加は、その移動壁が過熱しないように援助する。
【実施例１】
【００１５】
図1は、本発明の実施例の概略的な投射図である。気体流装置100が、通路120を定義する壁又は複数の壁110を含む。気体流源130は、通路120に動作可能なように付随し、その通路120を通る方向（以下、矢印140によって示される）に気体が流れるように機能することができる。気体流源130は、気体流を起こすために一般的に使用される如何なる機構であってもよい。例えば、気体流源130は、通路120の前側の空気150に、動作可能なように付随しているファン又は送風機などの陽圧がかけられた流源であることが可能である。代わりに、気体流源130は、通路120の裏面の空気160に、動作可能なように付随している、陰圧又は真空を発生させるタイプであってもよい。気体流源130の通路120に関連した位置付けは、使用される気体流のタイプに依存する。例えば、陽圧気体流130が使用される場合、気体流源は、通路150の前方に位置付けることができる。陰圧気体流130が使用される場合、その気体流源は、通路160の後方に位置付けることができる。
【００１６】
液体流源170が、流れシステム100に動作可能なように付随しており、液体180が通路120の壁110に沿った方向に移動させるように動作が可能であり、液体流181の流れ方向（中空矢印190によって示される）は、気体流の方向140と同じ方向に流れている。液体流源170は、液体流181を起こすように適切に使用される如何なる機構であってもよい。例えば、液体流源170は、液体エジェクタ又はポンプなどの陽圧タイプの液体流源を発生させる如何なるタイプであってもよい。その液体流源170は、通路120の前側150に位置付けられてもよい。液体流181の速度は、実質的に気体流140の速度に等しいことが好ましい。しかし、液体流181の速度は、検討されている特殊な応用に依存する気体流140の速度とは異なってもよい。
【００１７】
通路120の壁110の形状は、必要に応じて直線状又は曲線状であってもよい。通路120の壁110は、アルミニウム、ステンレススチール、プラスチック、ガラスやその他の如何なる材料であってもよい；壁110の表面は、液体180が壁110に沿って移動することを促進するために、使用されている液体180の種類によって疎水性又は親水性の材料で、必要に応じてコーティングされてもよい。液体180は、水、インク、又は、例えば比較的低い界面張力係数、低い粘性、高い熱伝導性、及び／又は高い比熱容量などの特定の性質を持つ特別に処理された液体であってもよいが、それらに限定されない。気体流130の気体は、空気、蒸気、窒素、ヘリウム、二酸化炭素などであってもよい。
【実施例２】
【００１８】
通路の複数の壁のうちの１つは、気体流と同じ方向において静止しているか、又は進行路であることが可能である。図２は、本発明のもう1つの実施例の概略的な投射図であり、進行路を有する1つの壁200が、流体の流れの方向と同じ方向に移動している。移動壁200は、三角状のブロック210によって表わされる。該移動壁200の動作は、この目的のために一般的に使用される如何なる装置を使用して遂行してもよい。これらのタイプの装置の例は、同一出願人による出願（Kodak整理番号第91674号）において説明されている。液体流源170が、動作可能なように流れシステムに付随し、液体流181が、その通路の移動壁200の上又はそれに沿った方向に流れるように機能することが可能であり、液体流181の流れ方向（中空矢印190によって示される）は、気体流の方向と同じ方向を向いている。液体流181と移動壁200とを組み合わせた速度は、実質的に気体流の速度に等しいことが好ましい。しかし、その液体流181と移動壁200とを組み合わせた速度は、検討されている特殊な応用によっては、気体流の速度とは異なってもよい。気体流の通路の移動壁200上を移動している液体流181は、また、移動壁200の温度が摩擦によって上昇することを防ぐ。
【実施例３】
【００１９】
図３を参照すると、気体流装置301の実施例を組み入れた印刷システム300の３次元の概略的なビュー及び液体可動面装置302が示されている。デカルト座標システムx-y-z  310  がまた、図３に含まれ、以下の図に示されている横断面の関連する方向性を示す。気体流源320が、動作可能なように気体流装置301に付随し、気体が流れるように機能することができる。液体流源330が、動作可能なように気体流システム301に付随し、液体が、液体可動面装置302に沿った方向に流れるように機能する。その液体は、例えば、浸透性のフィルターなどの液体再循環機構331を通して循環される。印刷システム300は、気体流装置301の追加の通路を通して滴を噴出するように位置されたプリントヘッド303を含む。
【００２０】
プリントヘッド303は、第1進路に沿って移動している複数の体積を有する複数の滴370を形成するように機能することが可能な滴形成機構を含む。気体流装置301を含む滴偏向システムは、第1進路に沿って移動している滴に気体の流れ力を加える。その気体の流れ力は、複数の体積のうちの1つを有する滴が第1進路から発散（又は偏向）し、該複数の体積のうちのもう１つの体積を有する滴が実質的に第1進路に残って移動し、あるいは、わずかに発散（偏向）し第３進路に沿って移動を始めるように、印加される。レシーバー（receiver）340は、第1、第２又は第３進路のもう1つに沿って位置付けられ、一方、キャッチャー（catcher）350は、検討されている特殊な応用によっては、第１、第２又は第３進路のうちのもう1つに沿って位置付けられる。プリントヘッド303などのプリントヘッドは、既知であり、例えば、2002年10月1日にHawkins  et  al.に発行された米国特許第6,457,804B1号（特許文献２）；2002年12月10日にJeanmaireに発行された米国特許第6,491,362B1号（特許文献３）；2003年1月14日にChwalek  et  al.に発行された米国特許第6,505,921B2号（特許文献４）；2003年4月23日にJeanmaire  et  al.に発行された米国特許第6,554,410B2号（特許文献５）；2003年6月10日にJeanmaire  et  al.に発行された米国特許第6,575,566B1号（特許文献６）；及び2003年7月8日にJeanmaire  et  al.に発行された米国特許第6,588,888B2号（特許文献７）において記載されている。
【００２１】
噴出された滴の少なくともいくつかは、紙又は他の媒体などのレシーバー340に接触し、一方、他の滴は、キャッチャー350などの他の機構によって集められる。キャッチャー350によって受けられるインクは、再利用のために、インク再循環機構360を通して循環される。通常、気体流装置301の幅304は、プリントヘッド303のノズル・アレイの長さ305よりも幅が広く、それは、上記で説明された境界効果を減少させるか、あるいは消滅させることを援助する。しかし、プリントヘッド303のノズル・アレイの長さ305に等しい又はそれよりも小さい通路幅304は、容認される。
【実施例４】
【００２２】
図４Aを参照すると、気体流装置410の実施例及び液体可動面装置420を組み入れた印刷システム400の概略的な投射図が示されている。印刷システム400は、気体流装置410の追加の通路の中へ滴を噴出するために位置付けられたプリントヘッド430を含む。その滴の少なくともいくつかは、キャッチャー450などの循環機構によって集められる。メディアは、矢印441によって示される方向に移動／回転している。キャッチャー450によって受けられる液体は、浸透性フィルターなどの液体の再循環機構を通って循環される。プリントヘッド430の滴形成機構によって噴出された後は、滴431は、実質的にプリントヘッドに直角な第1進路に沿って移動する。滴偏向システムの気体流装置410は、噴出された滴の進路に関連して、ある角度で位置付けられる。気体流装置470は、動作可能なように入口部分460及び出口部分461の1つ又は両方に付随している。例えば、空気などの加圧されたポンプからの気体は、入口部分460に導入することが可能であり、あるいは、真空ポンプからの真空（周辺の動作環境に関しマイナスの空気圧）は、出口部分461に導入することができる。滴偏向器の気体流は、上記で説明されたように噴出された滴と作用し、滴が発散又は偏向されるようにする。偏向量は体積に依存し、小さい体積を持つ滴は、より大きい体積を持つ滴よりも、気体流によって偏向される。
【００２３】
気体流装置410の１つ又は全ての壁は、どれも進行路を有し、図４Aに示されている実施例において移動可能であり、液体流481によって覆われる。しかし、図４Aに示されている構造において、通常、1つ又は全ての壁は静止しており、移動する液体によって覆われている。液体流源480は、動作可能なように、気体流の通路410の入口部分460に付随している。例えば、エジェクタからのインク又はポンプからの水などの液体は、通路の壁411に沿って入口部分460に導入することができる。液体流源480から噴出される液体は、気体流の方向と同じ方向に壁に沿って移動する。液体流481の速度は、気体流の速度に等しいことが好ましい。しかし、液体流481の速度は、検討されている特殊な応用によっては、気体流の速度と異なってもよい。液体の再循環機構482は、液体を、再利用のため、液体流源482に再循環させるように考案してもよい。
【００２４】
図４Bは、液体移動壁490の実施例の提示を明確にするため、図４Aにおける気体流の通路の１部分400bの局所的なクローズアップを示す。液体流源492が、動作可能なように、気体流通路の上部491に付随している。液体流源492は、例えば、エジェクタからのポンプによるインクであってもよい。その液体流源492から噴出された液体は、通路の壁490に沿って移動し、メディアに向かう気体流の方向と同じ方向に向いた液体流493を形成する。その液体流493の速度は、メディアに向かう気体流494の速度に実質的に等しいことが好ましい。しかし、液体流493の速度は、検討されている応用によっては、気体流の速度494とは異なっていてもよい。液体（通常はインク）は、溝450を通って循環され、インクタンクに再利用のために、そのプロセスの間に発生し得る粒子を排除するためにインク再循環機構によって送り返される。その移動する液体は、気体流の方向と同じ方向に移動し、好ましくは、その気体流の速度と実質的に同じ速度で移動する。通常、移動する液体面の幅は、気体流の通路ほどの幅がある。しかし、気体流の通路の幅に等しい又はそれよりも狭い液体面の幅は許可される。
【００２５】
図５を参照し、流体装置520の実施例を組み入れたもう1つの印刷システム500の概略的な側面図が示されている。気体流装置520の少なくとも1つ又は全ての壁510は、移動通路を有し、図５に示されている実施例において移動可能であってもよい。該図に示されている印刷システムの実施形態の他の要素は、図４Aに示されている印刷システムの実施形態の対応する要素と同じである。移動壁511は、三角状のブロック512によって表わされている。移動壁511の動作は、この目的に一般的に使用されるどの装置を使用しても達成される。これらのタイプの例は、同一出願による米国特許出願（Kodak整理番号第91674号）において記載されている。
【００２６】
気体流源530の入口部分521における移動壁511は、気体流の方向と同じ方向に移動する。液体流源530は、動作可能なように、気体流通路の入口部分521に付随している。ポンプで注入された水又はエジェクタからのインクなどの液体は、例えば、気体通路の入口部分521から導入されてもよい。液体流源530から噴出された液体は、移動壁511の上又はそれに沿って、気体流の方向と同じ方向に移動する。液体513と移動壁511とを組み合わせた速度は、実質的に気体流514の速度に等しい。しかし、液体513と移動壁511とを組み合わせた速度は、検討されている特殊な応用によっては、気体流の速度とは異なってもよい。液体再循環機構531が、液体を、再利用のために、液体流源530に循環し戻すように考案されている。通常、通路幅は、プリントヘッドのノズル・アレイの長さよりも幅広く、それは、境界効果を減少又は消滅させることを援助する。しかし、プリントヘッドのノズル・アレイの長さに等しい又はそれよりも狭い通路幅は許可される。液体513は、水又はインク、あるいは比較的低い界面張力係数、低い粘性、高い熱伝導性、及び／又は高い比熱容量などの特定の性質を持つ、特別に設計された液体を含むが、それらに限定されない。移動壁511の表面は、使用されている液体513のタイプに依存して、疎水性又は親水性の材料でコーティングされ、液体513が移動壁511に沿って移動するように促進する。
【００２７】
図を振り返ると、本発明は、他の印刷システム機能を果たすように使用することができる。例えば、液体流が、印刷システムの1つ又はそれ以上の部分を洗浄するために使用されることが可能である。液体流は、通路の壁を洗浄するために使用されることが可能である。任意に、その液体は、通路壁に沿って移動を完了した後に、再循環及びフィルターされてもよい。さらに、印刷システムのキャッチャー機構は、液体又は、例えば、1つ又はそれ以上のプリントヘッドノズルなどの第2液体流源から提供される第２液体によって洗浄されてもよく、その液体又は第２液体は、キャッチャー機構の入口に実質的に向かう方向に、キャッチャー機構の壁に沿って流れるようにされている。
【符号の説明】
【００２８】
100…気体流装置
110…壁
120…通路
130…気体流源
140…矢印
150…前側の空気
160…裏面の空気
170…液体流源
180…液体
181…液体流
190…中空矢印
200…壁
210…三角状ブロック
300…印刷システム
301…気体流装置
302…液体可動面装置
303…プリントヘッド
304…幅
305…長さ
310…デカルト座標
320…気体流源
330…液体流源
331…液体再循環機構
340…レシーバー（receiver）
350…キャッチャー（catcher）
360…インク再循環機構
370…液滴
400…印刷システム
400b…部分
410…気体流装置
411…壁
420…液体可動面装置
430…プリントヘッド
440…液滴
441…レシーバー
450…キャッチャー
460…入口部分
461…出口部分
470…気体流源
480…液体流源
481…移動液体流
490…液体再循環機構
491…通路部分
492…液体流源
493…液体流
494…気体流
500…印刷システム
510…壁
511…移動壁
512…三角状ブロック
513…液体
514…気体流
520…液体流装置
521…入口部分
530…液体流源
531…液体再循環機構
【図１】
2010526687.tif 000003
【図２】
2010526687.tif 000004
【図３】
2010526687.tif 000005
【図４Ａ】
2010526687.tif 000006
【図４Ｂ】
2010526687.tif 000007
【図５】
2010526687.tif 000008
【国際調査報告】
2010526687.tif 000009
2010526687.tif 000010
2010526687.tif 000011
2010526687.tif 000012